(57)【要約】【課題】    曲単位でなく、更に当該曲の内容に基づいて曲の内容毎に曲の途中からランダムアクセス再生が可能な情報再生装置及び情報記録媒体並びに当該情報記録媒体を製作可能な情報記録装置を提供することにある。【解決手段】    信号処理手段は、外部から入力された記録すべき記録情報に対して所定の信号処理を施して処理記録信号を出力するとともに、複数の部分記録情報の記録情報中における各々の開始位置と、各開始位置に対応する部分記録情報についての内容種類と、を内容情報として生成し、記録情報とともに情報記録媒体に記録する。よって、当該記録情報中の内容種類毎の部分記録情報の開始位置及び当該部分記録情報に対応する内容種類を含む内容情報が記録されるので、再生時において、当該内容情報に基づいて記録情報全体の記録順序に無関係に、再生させたい内容種類に対応する部分記録情報のみを再生できる。【選択図】    図４
2005063663.tif 000002
【特許請求の範囲】
【請求項１】
記録すべき記録情報に対して所定の信号処理を施して処理記録信号を出力するとともに、予め設定された所定の内容種類毎に前記記録情報を予め区分した複数の部分記録情報についての前記内容種類と、を前記記録情報に対応する内容情報として生成し、当該内容情報と前記部分記録情報の総数に対応する情報信号を出力する信号処理手段と、前記処理記録信号に前記情報信号を付加して多重記録信号を出力する多重手段と、前記多重記録信号を情報記録媒体に記録する記録手段と、を備えたことを特徴とする情報記録装置。
【発明の詳細な説明】
【技術分野】
【０００１】
本発明は、情報記録装置及び情報再生装置並びに情報記録媒体に関し、より詳細には、光ディスク等の情報記録媒体に記録された記録情報を、記録順序に無関係に再生するための情報記録装置及び情報再生装置並びに情報記録媒体に関する。
【背景技術】
【０００２】
今日、音楽等の記録情報を記録するための情報記録媒体は、ＣＤ（Compact Disk）、オーディオテープ、ＤＡＴ（Digital Audio Tape）等として広く普及している。また、これらの記録情報に更に映像を付加したものは、レーザディスク、ＶＴＲ（Video Tape Recorder ）用テープ、ＣＤ−Ｖ（ＣＤ−Video;部分的に画像が記録されたＣＤ）、ビデオＣＤ（ＣＤ全体に画像が記録されたＣＤ）として同様に一般化している。
【０００３】
これらの情報記録媒体では、記録情報の記録順序に無関係に、多彩な再生パターン（ランダムアクセス再生）が可能となっている。例えば、ＣＤの場合では、複数の曲に対して逆順に再生したり、所定の曲のみ繰返して再生する等の再生が可能である。また、記録情報自体と共に記録されている、当該記録情報に対応する時間情報（タイムコード）に基づいて再生することも可能である。
【０００４】
ここで、例えば、従来のＣＤにおいては、上記のランダムアクセス再生を可能とするため、図９（ａ）に示すように、実際に再生される音楽に対応するソース情報（記録情報に対応）が記録されたソース情報領域１０２の内側（ＣＤ１００の内周部分）に、記録情報における各曲毎に当該曲をアクセスして再生するためのアクセス情報が記録されたアクセス情報領域１０１が設けられている。そして、アクセス情報領域１０１には、図９（ｂ）に示すように、ソース情報領域１０２内の各曲毎の開始位置に対応する開始アドレス１１０、１１１、……、Ｎが記録されている。
【０００５】
図９に示すＣＤ１００を用いて例えばランダム再生を行う場合には、ＣＤプレーヤ等の再生装置においては、外部から入力された曲指定情報に基づき、指定された曲に対応する開始アドレスをアクセス情報領域１０１から読み出し、読み出した開始アドレスに対応する位置に光ピックアップを移送して再生し、１曲の再生が終了した後、次の再生すべき曲の開始アドレスに上記光ピックアップを移送して再生することを繰返すこととなる。
【発明の開示】
【発明が解決しようとする課題】
【０００６】
しかしながら、従来のＣＤ等の情報記録媒体においては、アクセス情報領域１０１に記録されるアドレスは、一つの曲を単位として曲毎にその開始アドレスが記録されているのみであった。また、オペラ等の一つの曲自体が長いものは、例えば、楽章毎に区切って開始アドレスを記録していた。
【０００７】
これに対し、近年、上述の情報記録媒体をカラオケ等の目的に使用することが盛んになりつつあるが、この場合に、一つの曲においてその「サビ（クライマックス）」の部分だけを繰り返して再生したいという要求や、複数の曲のある部分のみを連続して再生したいという要求が増加している。これに対し、上記従来のＣＤでは、曲単位でしか指定できないという問題点があった。
そこで、本発明は上記の問題点に鑑みてなされたもので、その目的は、曲単位でなく、更に当該曲の内容に基づいて曲の内容毎に曲の途中からランダムアクセス再生が可能な情報再生装置及び情報記録媒体並びに当該情報記録媒体を製作可能な情報記録装置を提供することにある。
【課題を解決するための手段】
【０００８】
上記の問題点を解決するために、請求項１に記載の発明は、記録すべき記録情報に対して所定の信号処理を施して処理記録信号を出力するとともに、予め設定された所定の内容種類毎に前記記録情報を予め区分した複数の部分記録情報についての前記内容種類と、を前記記録情報に対応する内容情報として生成し、当該内容情報と前記部分記録情報の総数に対応する情報信号を出力する信号処理手段と、前記処理記録信号に前記情報信号を付加して多重記録信号を出力する多重手段と、前記多重記録信号を情報記録媒体に記録する記録手段と、を備えて構成される。
【発明の効果】
【０００９】
請求項１に記載の発明によれば、信号処理手段は、外部から入力された記録すべき記録情報に対して所定の信号処理を施して処理記録信号を出力するとともに、複数の部分記録情報の記録情報中における各々の開始位置と、各開始位置に対応する部分記録情報についての内容種類と、を内容情報として生成し、当該内容情報に対応する内容情報信号を出力する。
そして、多重手段は、処理記録信号に内容情報信号を付加して多重記録信号を出力する。
その後、記録手段は、多重記録信号を情報記録媒体に記録する。
よって、記録情報とともに、当該記録情報中の内容種類毎の部分記録情報の開始位置及び当該部分記録情報に対応する内容種類を含む内容情報が記録されるので、再生時において、当該内容情報に基づいて記録情報全体の記録順序に無関係に、再生させたい内容種類に対応する部分記録情報のみを再生できる。
【発明を実施するための最良の形態】
【００１０】
次に、本発明に好適な実施例について、図面に基づいて説明する。なお、以下の実施例は、本発明を情報記録媒体としての光ディスクに対して情報を記録する情報記録装置及び当該情報記録装置により記録情報が記録された光ディスクから記録情報を再生する情報再生装置に対して適用した場合について説明する。
【００１１】
（Ｉ）情報記録装置
始めに、実施例に係る情報記録装置の構成について、図１を用いて説明する。  図１に示すように、実施例に係る情報記録装置Ｓ1 は、記録すべき音楽情報や映像情報等の記録情報Ｒを一時的に記録するＶＴＲ１と、当該記録情報Ｒをその内容種類毎の部分記録情報ＰR に予め区分し、それぞれの部分記録情報ＰR に対応する内容種類とともに記録情報Ｒ中における当該部分記録情報ＰR 毎の開始時間が記載されたキューシートＳＴに基づき予め入力された内容情報であって、上記の内容種類とそれぞれの内容種類に対応する部分記録情報ＰR の開始時間よりなる内容情報を記憶するメモリ２と、ＶＴＲ１から出力された音楽情報や映像情報をＡ／Ｄ変換した後、例えば、ＭＰＥＧ方式により圧縮処理し、音楽情報と映像情報とを時間軸多重して圧縮多重信号ＳR として出力するとともに、ＶＴＲ１から出力される上記記録情報Ｒに対応したタイムコードＴT 及びメモリ２から出力される内容情報に対応した内容情報信号ＳI に基づき、当該記録情報Ｒを部分記録情報ＰR 毎にアクセスするためのアクセス情報ＤACに対応するアクセス情報信号ＳACを出力する信号処理手段としての信号処理部３と、圧縮多重信号ＳR を一時的に記憶するハードディスク装置４と、アクセス情報信号ＳACを一時的に記録するフレキシブルディスク（ＦＤ）装置５と、情報記録装置Ｓ1 全体の制御を行うとともに、ハードディスク装置４から読み出された圧縮多重信号ＳR 及びＦＤ装置５から読み出されたアクセス情報信号ＳACに基づき、記録情報Ｒと共に記録すべきその他の情報とアクセス情報ＤACとを合成して付加情報ＤA を生成し、当該付加情報ＤA に対応する付加情報信号ＳA を出力し、更に、圧縮多重信号ＳR と付加情報信号ＳA を時間軸多重するための情報選択信号ＳC を出力するコントローラ６と、情報選択信号ＳC に基づき、圧縮多重信号ＳR と付加情報信号ＳA とを時間軸多重して情報付加圧縮多重信号ＳAPを出力するための多重手段としての多重器７と、当該情報付加圧縮多重信号ＳAPに対して、例えば、リードソロモン符号等のエラー訂正コード（ＥＣＣ）の付加及び８−１５変調等の変調を施してディスク記録信号ＳM を生成する変調器８と、当該ディスク記録信号ＳM を光ディスクを製造する際のマスタ（抜き型）となるスタンパディスクに対して記録する記録手段としてのマスタリング装置９と、により構成されている。
【００１２】
次に情報記録装置Ｓ1 の動作を説明する。
ＶＴＲ１に一時的に記録された音楽情報及び映像情報は、信号処理部３においてＡ／Ｄ変換された後、ＭＰＥＧ方式により圧縮処理され、時間軸多重されて圧縮多重信号ＳR となり、ハードディスク装置４に一時的に記憶される。これと並行して、キューシートＳＴの記載に基づいて入力されメモリ２に記憶されている部分記録情報ＰR 毎の内容種類と開始時間を含む内容情報信号ＳI に基づき、信号処理部３において、ＶＴＲ１から入力されたタイムコードＴT を参照して上記部分記録情報ＰR 毎の開始アドレス及びその内容種類を含むアクセス情報ＤACが生成され、当該アクセス情報ＤACに対応するアクセス情報信号ＳACが出力されてＦＤ装置５に一時的に記憶される。アクセス情報ＤACの内容構成の具体例については、後述する。以上の処理が記録情報Ｒ全体について実行される。
【００１３】
記録情報Ｒの全てについて上記の処理が終了すると、コントローラ６は、ハードディスク装置４から圧縮多重信号ＳR を読み出すとともにＦＤ装置５からアクセス情報信号ＳACを読み出し、記録情報Ｒと共に記録すべきその他の情報と当該アクセス情報ＤACとを合成して付加情報ＤA を生成し、当該付加情報ＤA に対応する付加情報信号ＳA を出力する。その後、圧縮多重信号ＳR が付加情報信号ＳA と時間軸多重され、情報付加圧縮多重信号ＳAPが生成される。そして、情報付加圧縮多重信号ＳAPに対して変調器８によりリードソロモン符号等のエラー訂正コード（ＥＣＣ）の付加及び８−１５変調等の変調が施され、マスタリング装置９により変調されたディスク記録信号ＳM がスタンパディスクに対して記録される。そして、このスタンパディスクを用いて図示しないレプリケーション装置により、一般に市販されるレプリカディスクとしての光ディスクが製造される。
【００１４】
次に、信号処理部３において生成されるアクセス情報ＤAC及びそれに基づく情報記録装置Ｓ1 の動作について、記録情報Ｒが複数の曲を含む音楽情報のみである場合を例として図２乃至６を用いてより具体的に説明する。
【００１５】
通常、音楽一曲は、図２に示すように複数のコーラスからなっている。そして、一つのコーラスは、イントロ（前奏）、歌、歌（クライマックス）、間奏、後奏（エンディング）のように区分することができる。このような区分は、曲によってその数及び順序は異なるが、内容区分そのものは、ほとんどの曲に共通するものである。この、イントロ（前奏）、歌、歌（クライマックス）、間奏等が上述の内容種類に相当し、図２が、内容種類に基づいて部分記録情報ＰR に区分された記録情報Ｒとしての曲を示している。キューシートＳＴには、図２に示す区分毎（部分記録情報ＰR 毎）に曲の最初から起算した開始時間が記載されており、それに基づいてメモリ２には、内容情報として、内容種類とそれに対応する開始時間が部分記録情報ＰR 毎に記憶される。以後、この部分記録情報ＰR を説明の都合上「第１単位」とし、図２に示すコーラスに相当する単位を「第２単位」とする。
【００１６】
また、図２に示す内容種類は、それぞれ図３に例を示すように内容コードが付与されている。なお、図３において「００ｈ」（ｈは１６進数を示す。）は定義されていないが、これは、記録情報としての曲に対して図２に示すような区分をしない場合に「００ｈ」を記述することとしたものである。また、「０６ｈ」乃至「ＦＦｈ」は、今後区分する内容種類数が増加した場合に備えて定義しないものである。
【００１７】
信号処理部３においては、メモリ２に記憶された第１単位毎の内容情報に基づき、第１単位毎にＶＴＲ１から入力される音楽情報に対して圧縮処理等の信号処理を行う。そして、第１単位毎の発生データ量と内容情報信号ＳI に含まれる第１単位毎の開始時間に基づき、各第１単位毎に開始アドレスを算出し、内容情報信号ＳI に含まれる内容種類とともに対応する開始アドレスを記憶する。このとき、各第１単位には、音楽情報の最初からの通し番号が付与される。次に、信号処理部３は、メモリ２からの内容情報信号ＳI に基づき、一つの第２単位（図２の場合、一つのコーラス）がいずれの内容種類に対応する第１単位から成り立っているか及びその順序を検出する。この処理は、例えば、図２の場合には、コーラス１に対応する第２単位は「イントロ」、「歌」及び「歌（クライマックス）」を示す三つの第１単位より成り立っていること及びそれらが「イントロ」、「歌」、「歌（クライマックス）」の順であることを検出するものである。その後、信号処理部３は、第２単位毎に、当該第２単位を構成する第１単位の組合わせ（第１単位の種類及び順序を示し、上記の場合、「イントロ」、「歌」、「歌（クライマックス）」）を記憶する。このとき、各第２単位には、第１単位と同様に音楽情報の最初からの通し番号が付与される。
【００１８】
そして、信号処理部３は、ＶＴＲ１から出力される音楽情報に含まれる全ての曲に対して上述の処理を行い、全てのデータに基づいてアクセス情報ＤACを生成する。
【００１９】
ここで、アクセス情報ＤACのデータ構造の例を図４に示す。
図４に示すように、アクセス情報ＤACは、曲数データ２０と、曲別第２単位数データ２１と、各第２単位毎の第１単位数データ２２と、各第２単位を構成する第１単位の記録すべき音楽情報の最初からの通し番号である構成第１単位番号データ２３と、各第１単位の開始アドレスデータ２４と、各第１単位毎の内容種類を示す内容コードデータ２５（図３参照）により構成されている。ここで、第１単位数データ２２において、各第２単位には記録すべき音楽情報の最初からの通し番号が付与されている。
【００２０】
図４のアクセス情報ＤACについて、実際の曲に則したより具体的な例について、図５及び図６を用いて説明する。
図５には、２曲からなる音楽情報を内容種類毎に第１単位（部分記録情報ＰR に相当）に区分した状態を示している。すなわち、１曲目は二つの第２単位からなり、１曲目の最初の第２単位は「イントロ」、「歌」及び「歌（クライマックス）」の三つの第１単位より構成されている。また、１曲目の２番目の第２単位は、「歌」、「歌（クライマックス）」及び「エンディング」の三つの第１単位より構成されている。更に、２曲目は単一の第２単位より構成されており、当該第２単位は、「イントロ」、「歌」、「歌（クライマックス）」及び「エンディング」の四つの第１単位により構成されている。これらの区分が内容情報として予めキューシートＳＴに基づきメモリ２に記憶され、これに基づきそれぞれの第１単位の開始アドレス（図５「ｎ１」、「ｎ２」……「ｎ１０」）を含むアクセス情報ＤACが信号処理部３により生成されるのである。図５に示すように区分された音楽情報に対応するアクセス情報ＤACの内容を図６に示す。
【００２１】
図６において、曲数データ２０は、全曲数が２であるので、「２」とされている。曲別第２単位数データ２１は、１曲目の第２単位数が２で２曲目の第２単位数が１なので、それぞれ「２」及び「１」とされている。第１単位数データ２２は、各第２単位を構成する第１単位数が、それぞれ３、３、４であるので、「３」、「３」、「４」となる。構成第１単位番号データ２３には、それぞれの第２単位を構成する第１単位の音楽情報の最初からの通し番号が記述されている。また、開始アドレスデータ２４には、構成第１単位番号データ２３における各第１単位毎の開始アドレス（図５参照）が記述されている。そして、内容コードデータ２５には、各第１単位の順に図３に示す内容コードが記述されている。
【００２２】
以上説明した処理により生成されたアクセス情報ＤACに対応するアクセス信号ＳACが信号処理部３から出力され、一旦ＦＤ装置５に記憶された後に読み出され、コントローラ６により付加情報ＤA として合成され、付加情報信号ＳA として出力される。その後、多重器７により圧縮多重信号ＳR と付加情報信号ＳA が多重され、情報付加圧縮多重信号ＳAPとして変調等された後マスタリング装置９によりスタンパディスクに記録され、これに基づいてレプリカディスクとしての光ディスクが製作される。
【００２３】
なお、情報選択信号ＳC によって多重器７により付加情報信号ＳA と圧縮多重信号ＳR を時間軸多重するタイミングについては、多重器７の接点を予め付加情報信号ＳA 側に設定しておき、当該付加情報信号ＳA を記録した後、上記接点を圧縮多重信号ＳR 側に切り換えれば、上記光ディスク（スタンパディスク）の最内周に付加情報信号ＳA を時間軸多重することができる。この場合には、付加情報信号ＳA が一つの領域にまとめて記録されているので、再生時において、再生すべき第１単位に対応する部分記録情報ＰR を迅速に検索することができるとともに、再生時において、付加情報信号ＳA と圧縮多重信号ＳR が混同して再生されることを防止することができることとなる。
【００２４】
以上説明した情報記録装置Ｓ1 及び情報記録装置Ｓ1 により音楽情報が記録された光ディスクによれば、音楽情報とともに、当該音楽情報中の「イントロ」「間奏」等の内容種類毎の第１単位の開始アドレス及び当該第１単位毎に対応する内容種類を含む内容情報が記録されるので、再生時において、当該内容情報に基づいて音楽情報全体の記録順序に無関係に再生させたい内容種類に対応する第１単位部分のみを再生できる。
【００２５】
（II）情報再生装置
始めに、図７を用いて、実施例に係る情報再生装置の構成について説明する。  図７に示すように、実施例に係る情報再生装置Ｓ2 は、上述の情報記録装置Ｓ1 により圧縮多重信号ＳR にアクセス情報信号ＳACを含む付加情報信号ＳA が多重してディスク記録信号ＳM として記録されている光ディスクＤＫから当該ディスク記録信号ＳM を検出し、検出信号ＳP として出力する検出手段としての光ピックアップ１０と、読み出された検出信号ＳP を一定のスレッショルド（閾値）によって２値化して２値信号ＳB として出力する２値化器１１と、２値信号ＳB に対して復調及びエラー訂正を行い、復調信号ＳL として出力するとともに、２値信号ＳB から付加情報信号ＳA を抽出する抽出手段としての復調器１２と、復調信号ＳL に対してＭＰＥＧ方式により伸張処理を行い、Ｄ／Ａ変換して出力映像信号ＳDV及び出力音楽信号ＳDAとして出力する信号処理部１３と、２値信号ＳB からクロック成分を検出し、検出クロック信号ＣＬＫP として出力するクロック成分検出器１４と、検出クロック信号ＣＬＫP と後述の発振器１７からの基準クロック信号ＣＬＫとを位相比較して比較信号とし、当該比較信号から高域成分を除去し、スピンドルモータ１６の回転数制御信号ＳSPとして出力するＬＰＦ（Low Pass Filter ）を含む位相比較器１５と、回転数制御信号ＳSPに基づく回転数制御の下、光ディスクＤＫを回転するスピンドルモータ１６と、情報再生装置Ｓ2 を構成する各部材相互間のタイミング同期を取るための基準クロック信号ＣＬＫを出力する発振器１７と、情報再生装置Ｓ2 全体の制御を行うとともに、抽出された付加情報信号ＳA に含まれるアクセス情報ＤACを記憶し、キーボード１８から入力された再生すべき内容種類を指定する指定信号ＳF 及び復調器１２から出力される現在再生中の記録情報のアドレスに対応するアドレス信号ＳADに基づいて、当該指定信号ＳF により指定された内容種類に対応する部分記録情報ＰR （第１単位）のみを再生するためのスピンドル制御信号ＳE 、信号出力制御信号ＳDS及びスライダ制御信号ＳX を出力する制御手段としてのコントローラ１９と、により構成されている。
【００２６】
ここで、信号出力制御信号ＳDSの制御に基づく信号処理部１３による出力映像信号ＳDV及び出力音楽信号ＳDAの出力については、再生すべき部分記録情報ＰR （第１単位）を再生するために当該部分記録情報ＰR （第１単位）が記録されている位置にスライダ制御信号ＳX により光ピックアップ１０を移送している間は、出力映像信号ＳDVについては、移送直前の画像が静止画として出力され、出力音楽信号ＳDAの出力については中断することとなる。
【００２７】
更に、上記情報記録装置Ｓ1 による記録においては、再生時にクロックが自己抽出することができるようにディスク記録信号ＳM が変調されているので、クロック成分検出器１４において、抽出クロック信号ＣＬＫP を検出することができる。
【００２８】
次に、情報再生装置Ｓ2 の動作について図７及び図８を用いて、図６のアクセス情報ＤACに対応する音楽情報のみが光ディスクＤＫに記録されている場合について説明する。この場合に、出力映像信号ＳDVが出力されないことはいうまでもないが、出力映像信号ＳDVが音楽情報と共に多重されている場合も、類似の動作により、以下に示す実施例と同等の効果を上げることができる。また、以下の実施例では、音楽情報に対応する音楽中の「クライマックス」部分（内容コード「０３ｈ」に対応する）のみを再生する場合について説明する。
【００２９】
情報再生装置Ｓ2 の動作は、コントローラ１９に含まれるＲＯＭ（Read Only Memory）に記憶されたフローチャート（図８参照）に基づいて行われる。  図７に示す情報再生装置Ｓ2 において、音楽情報中の特定の内容種類のみ音楽情報を再生する場合には、始めに、キーボード１８により再生すべき「クライマックス」に対応する内容コード「０３ｈ」が入力される（ステップＳ１）。そして、内容コード「０３ｈ」が入力されると（ステップＳ１）、コントローラ１９は、記憶しているアドレス情報ＤAC（図６参照）の内容コードデータ２５から内容コード「０３ｈ」に対応する第１単位番号「（３）」「（５）」「（９）」を取得する（ステップＳ２）。第１単位番号が取得できたら（ステップＳ２）、次に、当該番号の第１単位の開始アドレス及び当該番号の第１単位の次の第１単位の開始アドレスを開示アドレスデータ２４から取得する（ステップＳ３）。具体的には、第１単位（３）の開始アドレスは「ｎ３」であり、第１単位（３）の次の第１単位である第１単位（４）の開始アドレスは「ｎ４」となる。
【００３０】
そして、ステップＳ４において、「ｎ４」から「ｎ３」を減算し、第１単位（３）のサイズ（ｎ４−ｎ３）を算出する（ステップＳ４）。その後、ステップＳ３で取得した第１単位（３）の開始アドレス「ｎ３」と、ステップＳ４で算出した第１単位（３）のサイズ（ｎ４−ｎ３）をコントローラ１９内のメモリに記憶する（ステップＳ５）。
【００３１】
次に、全ての内容コード「０３ｈ」に対応する第１単位（第１単位（３）、第１単位（５）及び第１単位（９））について、ステップＳ３乃至ステップＳ５が実行されたか否かが判断される（ステップＳ６）。これまでの処理では、第１単位（３）についてしか処理が終了していないので、ステップＳ６は「ＮＯ」となり、ステップＳ３に戻って、次の第１単位（５）についてステップＳ３乃至ステップＳ５に処理が実行される。このようにして、第１単位（３）、第１単位（５）及び第１単位（９）について、ステップＳ３乃至ステップＳ５が実行される。
【００３２】
第１単位（３）、第１単位（５）及び第１単位（９）について、ステップＳ３乃至ステップＳ５が実行されたならば（ステップＳ６；ＹＥＳ）、次に、第１単位（３）の開始アドレス「ｎ３」の位置に光ピックアップ１０を移送するべく制御信号としてのスライダ制御信号ＳX が出力される。このとき、信号出力制御信号ＳDSにより出力音声信号ＳDAの出力は停止される。そして、開始アドレス「ｎ３」の位置に光ピックアップ１０が移送されると、その位置から第１単位（３）のサイズ（ｎ４−ｎ３）だけ再生される（ステップＳ７）。このとき、再生開始と同時に出力音声信号ＳDAの出力が再開されることはいうまでもない。
【００３３】
第１単位（３）について、サイズ（ｎ４−ｎ３）だけ再生されると（ステップＳ７）、次に、全ての内容コード「０３ｈ」に対応する第１単位（第１単位（３）、第１単位（５）及び第１単位（９））について、ステップＳ７が実行されたか否かが判断される（ステップＳ８）。これまでの処理では、第１単位（３）についてしかステップＳ７の処理が終了していないので、ステップＳ８は「ＮＯ」となり、ステップＳ７に戻って、次の第１単位（５）についてステップＳ７の処理が実行される。このようにして、第１単位（３）、第１単位（５）及び第１単位（９）について、ステップＳ７が実行され、内容種類「クライマックス」に対応する第１単位の再生が行われる。全ての「クライマックス」に対応する第１単位の再生が終了したならば（ステップＳ８；ＹＥＳ）、内容種類毎の再生処理を終了し、次の命令の入力待ちとなる。
【００３４】
以上が、情報再生装置Ｓ2 の処理であり、これによれば、音楽情報中の内容種類毎の第１単位の開始アドレス及び当該第１単位に対応する内容種類を含むアクセス情報ＤACに基づいて音楽情報が再生されるので、曲毎のクライマックス部分のみの連続再生や、曲毎のイントロ部分のみの連続再生等の多彩な再生が可能となり、特に、実施例をカラオケ装置に応用した場合には、より利用範囲が広がる。
【００３５】
（III ）変形例
上述の実施例においては、一の曲を「前奏」、「クライマックス」、「間奏」等の第１単位に区分した場合について説明したが、本発明は、これに限られるものではなく、第１単位への区分方法を変えることにより、コーラス（曲）単位のリピート再生や、特定の曲のみの連続再生、内容種類単位のリピート再生等も可能である。
【００３６】
また、音楽情報のみでなく映像情報を上述のように内容種類毎に区分して記録するようにし、当該内容種類毎に再生するように構成することもできる。
更に、本発明をコンピュータ用のＣＤ−ＲＯＭ（Compact Disk-Read Only Memory ）の記録に応用することも可能である。その際には、記録されているデータの種類毎に内容種類を区分して記録することとなる。
【００３７】
更にまた、光ディスクＤＫへの記録情報Ｒの記録に際しては、アクセス情報ＤACが多重された付加情報信号ＳA を、ファイル単位や曲単位で記録するようにしてもよい。
更に、キーボード１８は、遠隔操作可能なリモコンであってもよい。
【図面の簡単な説明】
【００３８】
【図１】実施例に係る情報記録装置の概要構成ブロックを示す図である。
【図２】実施例の内容種類により記録情報（曲）の区分を示す図である。
【図３】実施例の内容種類のコード化の一例を示す図である。
【図４】実施例のアドレス情報のデータ構造を示す図である。
【図５】実施例の内容種類による曲の区分の具定例を示す図である。
【図６】アクセス情報の具体例を示す図である。
【図７】実施例の情報再生装置の概要構成を示すブロック図である。
【図８】実施例の情報再生装置の動作を示すフローチャートである。
【図９】従来技術の情報記録を説明する図である。
【符号の説明】
【００３９】
１…ＶＴＲ
２…メモリ
３、１３…信号処理部
４…ハードディスク装置
５…ＦＤ装置
６、１９…コントローラ
７…多重器
８…変調器
９…マスタリング装置
１０…光ピックアップ
１１…２値化器
１２…復調器
１４…クロック成分検出器
１５…位相比較器（ＬＰＦ）
１６…スピンドルモータ
１７…発振器
１８…キーボード
２０…曲数データ
２１…曲別第２単位数データ
２２…第１単位数データ
２３…構成第１単位番号データ
２４…開始アドレスデータ
２５…内容コードデータ
１００…ＣＤ
１０１…アクセス情報領域
１０２…ソース情報領域
１１０、１１１、Ｎ…開始アドレス
ＤAC…アクセス情報
Ｓ1 …情報記録装置
Ｓ2 …情報再生装置
ＤＫ…光ディスク
ＳＴ…キューシート
ＳR …圧縮多重信号
ＳI …内容情報信号
ＳAC…アクセス情報信号
ＳA …付加情報信号
ＳC …情報選択信号
ＳM …ディスク記録信号
ＳAP…情報付加圧縮多重信号
ＳSP…回転数制御信号
ＳP …検出信号
ＳB …２値信号
ＳX …スライダ制御信号
ＳE …スピンドル制御信号
ＳF …指定信号
ＳAD…アドレス信号
ＳDS…信号出力制御信号
ＳL …復調信号
ＳDV…出力映像信号
ＳDA…出力音楽信号
ＴT …タイムコード
ＣＬＫ…基準クロック信号
ＣＬＫP …検出クロック信号
Ｒ…記録情報
ＰR …部分記録情報
【図１】
2005063663.tif 000003
【図２】
2005063663.tif 000004
【図３】
2005063663.tif 000005
【図４】
2005063663.tif 000006
【図５】
2005063663.tif 000007
【図６】
2005063663.tif 000008
【図７】
2005063663.tif 000009
【図８】
2005063663.tif 000010
【図９】
2005063663.tif 000011